(57)【要約】  本開示は、ランダムアクセス方法、端末機器及びネットワーク機器を提供する。ここで、前記ランダムアクセス方法は、目標変調符号化スキームＭＣＳに基づいて変調符号化されたペイロード部分を付帯するランダムアクセスメッセージ１を送信することを含む。【選択図】  図１
2021532672.tif 000002
【特許請求の範囲】
【請求項１】
端末機器に応用されるランダムアクセス方法であって、
目標変調符号化スキームＭＣＳに基づいて変調符号化されたペイロード部分を付帯するランダムアクセスメッセージ１を送信することを含む、ランダムアクセス方法。
【請求項２】
前記目標変調符号化スキームＭＣＳは、
予め定義された変調符号化スキームＭＣＳ、又は、システムブロードキャストメッセージ又は上位層シグナリングによって指示される変調符号化スキームＭＣＳである、請求項１に記載のランダムアクセス方法。
【請求項３】
前記のランダムアクセスメッセージ１を送信することの前に、
変調符号化スキームＭＣＳセットを取得することと、
前記変調符号化スキームＭＣＳセットから前記目標変調符号化スキームＭＣＳを選択することとを更に含む、請求項１に記載のランダムアクセス方法。
【請求項４】
前記変調符号化スキームＭＣＳセットは、
予め定義された変調符号化スキームＭＣＳセットであるか、又は、
システムブロードキャストメッセージ又は上位層シグナリングによって指示される変調符号化スキームＭＣＳセットである、請求項３に記載のランダムアクセス方法。
【請求項５】
前記の前記変調符号化スキームＭＣＳセットから前記目標変調符号化スキームＭＣＳを選択することは、
信号測定結果及び／又は前記ランダムアクセスメッセージ１のペイロードサイズに基づいて、前記変調符号化スキームＭＣＳセットから前記目標変調符号化スキームＭＣＳを選択することを含む、請求項３に記載のランダムアクセス方法。
【請求項６】
前記ランダムアクセスメッセージ１は、前記目標変調符号化スキームＭＣＳを明示的に指示するための上り制御情報ＵＣＩを付帯し、
又は、
前記ランダムアクセスメッセージ１は、前記目標変調符号化スキームＭＣＳを暗黙的に指示するための復調基準信号ＤＭＲＳを付帯し、
又は、
前記ランダムアクセスメッセージ１は、プリアンブルを付帯し、前記プリアンブル及び／又は前記プリアンブルに対応する物理ランダムアクセスチャネルＰＲＡＣＨ機会は、前記目標変調符号化スキームＭＣＳを暗黙的に指示する、請求項３に記載のランダムアクセス方法。
【請求項７】
前記上り制御情報ＵＣＩは、予め定義された変調符号化スキームＭＣＳ又はネットワーク機器によって設定された変調符号化スキームＭＣＳで変調符号化される、請求項６に記載のランダムアクセス方法。
【請求項８】
前記復調基準信号ＤＭＲＳの設定パラメータは、ネットワーク機器によって設定され、
前記復調基準信号ＤＭＲＳの設定パラメータは、複数の復調基準信号ＤＭＲＳ設定又は複数の復調基準信号ＤＭＲＳシーケンスを含む、請求項６に記載のランダムアクセス方法。
【請求項９】
前記復調基準信号ＤＭＲＳの設定パラメータがａ個の復調基準信号ＤＭＲＳ設定を含む場合、１つ又はｂ個の前記復調基準信号ＤＭＲＳ設定は、前記変調符号化スキームＭＣＳセットの中の１つの変調符号化スキームＭＣＳに関連付けられ、
又は、前記復調基準信号ＤＭＲＳの設定パラメータがｃ個の復調基準信号ＤＭＲＳシーケンスを含む場合、１つ又はｄ個の前記復調基準信号ＤＭＲＳシーケンスは、前記変調符号化スキームＭＣＳセットの中の１つの変調符号化スキームＭＣＳに関連付けられ、
ここで、ａ、ｂ、ｃ及びｄは、１より大きい正の整数であり、ｂは、ａ以下であり、ｄは、ｃ以下である、請求項８に記載のランダムアクセス方法。
【請求項１０】
前記プリアンブルと前記目標変調符号化スキームＭＣＳとの関連関係は、ネットワーク機器によって設定され、１つ又は複数のプリアンブルは、前記変調符号化スキームＭＣＳセットの中の１つの変調符号化スキームＭＣＳに関連付けられる、請求項６に記載のランダムアクセス方法。
【請求項１１】
前記物理ランダムアクセスチャネルＰＲＡＣＨ機会と前記目標変調符号化スキームＭＣＳとの関連関係は、ネットワーク機器によって設定され、１つ又は複数の物理ランダムアクセスチャネルＰＲＡＣＨ機会は、前記変調符号化スキームＭＣＳセットの中の１つの変調符号化スキームＭＣＳに関連付けられる、請求項６に記載のランダムアクセス方法。
【請求項１２】
ネットワーク機器に応用されるランダムアクセス方法であって、
目標変調符号化スキームＭＣＳに基づいて変調符号化されたペイロード部分を付帯するランダムアクセスメッセージ１を受信することを含む、ランダムアクセス方法。
【請求項１３】
前記目標変調符号化スキームＭＣＳが変調符号化スキームＭＣＳセットから選択される場合、前記のランダムアクセスメッセージ１を受信することの後に、
前記ランダムアクセスメッセージ１に付帯される上り制御情報ＵＣＩによって前記目標変調符号化スキームＭＣＳを取得することと、
前記ランダムアクセスメッセージ１に付帯される復調基準信号ＤＭＲＳによって前記目標変調符号化スキームＭＣＳを取得することと、
前記ランダムアクセスメッセージ１に付帯されるプリアンブル、及び／又は、前記プリアンブルに対応する物理ランダムアクセスチャネルＰＲＡＣＨ機会によって前記目標変調符号化スキームＭＣＳを取得することとのいずれかを更に含み、
ここで、前記上り制御情報ＵＣＩは、前記目標変調符号化スキームＭＣＳを明示的に指示し、
前記復調基準信号ＤＭＲＳは、前記目標変調符号化スキームＭＣＳを暗黙的に指示し、
前記プリアンブル、及び／又は、前記プリアンブルに対応する物理ランダムアクセスチャネルＰＲＡＣＨ機会は、前記目標変調符号化スキームＭＣＳを暗黙的に指示する、請求項１２に記載のランダムアクセス方法。
【請求項１４】
目標変調符号化スキームＭＣＳに基づいて変調符号化されたペイロード部分を付帯するランダムアクセスメッセージ１を送信する送信モジュールを含む、端末機器。
【請求項１５】
目標変調符号化スキームＭＣＳに基づいて変調符号化されたペイロード部分を付帯するランダムアクセスメッセージ１を受信する受信モジュールを含む、ネットワーク機器。
【請求項１６】
メモリと、プロセッサと、前記メモリに格納され、前記プロセッサで実行可能なコンピュータプログラムとを含む通信機器であって、
前記コンピュータプログラムが前記プロセッサによって実行されると、請求項１〜１３のいずれか１項に記載のランダムアクセス方法が実現される、通信機器。
【請求項１７】
コンピュータプログラムが格納されているコンピュータ読み取り可能な記憶媒体であって、
前記コンピュータプログラムがプロセッサによって実行されると、請求項１〜１３のいずれか１項に記載のランダムアクセス方法が実現される、コンピュータ読み取り可能な記憶媒体。
【発明の詳細な説明】
【技術分野】
【０００１】
（関連出願の相互参照）
本願は、２０１８年７月３１日に中国特許庁に提出された中国特許出願２０１８１０８５８４９９．８の優先権を主張し、その全ての内容が援用によりここに取り込まれる。
本開示は、通信技術分野に係り、特にランダムアクセス方法、端末機器及びネットワーク機器に係る。
【背景技術】
【０００２】
第５世代５Ｇ移動通信システムは、関連技術の移動通信システムに比べて、より多様なシナリオ及びサービスニーズに適応する必要がある。ＮＲ（Ｎｅｗ  Ｒａｄｉｏ）システムの主なシナリオは、ｅＭＢＢ（ｅｎｈａｎｃｅ  Ｍｏｂｉｌｅ  Ｂｒｏａｄｂａｎｄ）、ｍＭＴＣ（ｍａｓｓｉｖｅ  Ｍａｃｈｉｎｅ  Ｔｙｐｅ  ｏｆ  Ｃｏｍｍｕｎｉｃａｔｉｏｎ）及びＵＲＬＬＣ（Ｕｌｔｒａ−Ｒｅｌｉａｂｌｅ  Ｌｏｗ  ｌａｔｅｎｃｙ  Ｃｏｍｍｕｎｉｃａｔｉｏｎｓ）などを含む。これらのシナリオは、対応するシステムに対して、高信頼性、低遅延、大きい帯域幅及び広いカバレッジなどを求める。
【０００３】
従来の上り伝送モードでは、ユーザ機器ＵＥ（Ｕｓｅｒ  Ｅｑｕｉｐｍｅｎｔ）などの端末機器は、上りデータを送信する必要がある場合、まずランダムアクセスプロセスによって上りタイミング同期を取り、即ち上りＴＡ（Ｔｉｍｉｎｇ  ａｄｖａｎｃｅ）情報をネットワーク側から取得する。上りタイミング同期が取れた後、ユーザ機器ＵＥは、動的スケジューリング又は半持続的スケジューリングによって上りデータを送信する。
【０００４】
上りパケットが小さい場合、ランダムアクセスプロセスによって上りタイミング同期を取ってから上りデータを送信する方式は、リソースや電力量の消費を招く。従って、ｍＭＴＣシナリオでは、ユーザ機器ＵＥは、非同期状態で上りデータを送信する。ランダムアクセスプロセスに類似し、ユーザ機器ＵＥは、プリアンブル（ｐｒｅａｍｂｌｅ）を送信するときに非同期の状態にあってもよいが、プリアンブルにＣＰ（ｃｙｃｌｉｃ  ｐｒｅｆｉｘ）を付加することによって伝送遅延による影響を相殺する必要がある。
【０００５】
ＮＲシステムにおいて、基地局などのネットワーク機器は、１つの時点（ｔｉｍｅ  ｉｎｓｔａｎｃｅ、即ち、１つのＰＲＡＣＨ（Ｐｈｙｓｉｃａｌ  Ｒａｎｄｏｍ  Ａｃｃｅｓｓ  Ｃｈａｎｎｅｌ）リソースを伝送するために必要な時間の長さであり、ここではＰＲＡＣＨを伝送するための時間領域位置を指してもよい）に、複数の周波数分割多重化ＦＤＭ（Ｆｒｅｑｕｅｎｃｙ  Ｄｉｖｉｓｉｏｎ  Ｍｕｌｔｉｐｌｅｘｉｎｇ）のＰＲＡＣＨ送信機会（ｔｒａｎｓｍｉｓｓｉｏｎ  ｏｃｃａｓｉｏｎ）が存在するように設定する。ここで、該ＰＲＡＣＨ伝送機会は、ＰＲＡＣＨ機会（ｏｃｃａｓｉｏｎ）、略してＲＯと呼ばれてもよい。１つの時点でＦＤＭが可能なＲＯの個数は、｛１，２，４，８｝である。
【０００６】
一般に、ランダムアクセスプリアンブル（ｐｒｅａｍｂｌｅ）は、パラメータＰＲＡＣＨＣｏｎｆｉｇｕｒａｔｉｏｎＩｎｄｅｘによって設定された時間領域リソースでのみ伝送され、ランダムアクセスプリアンブルは、パラメータｐｒａｃｈ−ＦＤＭによって設定された周波数領域リソースでのみ伝送される。ＰＲＡＣＨ周波数領域リソースは、
【０００７】
【数１】
2021532672.tif 000003
と示され得る。ここで、Ｍは、上位層パラメータｐｒａｃｈ−ＦＤＭに等しい。初期アクセスの場合、ＰＲＡＣＨ周波数領域リソースｎＲＡは、初期活性化上り帯域幅部分（ｉｎｉｔｉａｌ  ａｃｔｉｖｅ  ｕｐｌｉｎｋ  ｂａｎｄｗｉｄｔｈ  ｐａｒｔ）内の最も低い周波数のＲＯリソースから昇順で番号付けられる。そうでない場合、ＰＲＡＣＨ周波数領域リソースｎＲＡは、活性化上り帯域幅部分（ａｃｔｉｖｅ  ｕｐｌｉｎｋ  ｂａｎｄｗｉｄｔｈ  ｐａｒｔ）内の最も低い周波数のＲＯリソースから昇順で番号付けられる。
【０００８】
現在、ユーザ機器ＵＥは、２段階ランダムアクセス（２−ｓｔｅｐ  ＲＡＣＨ）のメッセージＭＳＧ１を送信するとき、プリアンブルとペイロード（ｐａｙｌｏａｄ）部分とを同時に伝送し、該ペイロード部分が例えば上りデータ及び／又は制御情報である。ペイロード部分については、ユーザ機器ＵＥは、変調符号化を行う。しかしながら、ＭＳＧ１に付帯されるペイロード部分をどのように変調符号化するかは、現時点で明確でなく、通信の有効性や信頼性を保証することができない。
【発明の概要】
【発明が解決しようとする課題】
【０００９】
本開示の実施例は、ランダムアクセスプロセスにおいてメッセージに付帯されるペイロード部分をどのように変調符号化するかが明確化されていないという問題を解決するために、ランダムアクセス方法、端末機器及びネットワーク機器を提供する。
【課題を解決するための手段】
【００１０】
上記問題を解決するために、第１態様として、本開示の実施例は、端末機器に応用されるランダムアクセス方法を提供し、目標ＭＣＳに基づいて変調符号化されたペイロード部分を付帯するランダムアクセスメッセージ１を送信することを含む。
【００１１】
第２態様として、本開示の実施例は、ネットワーク機器に応用されるランダムアクセス方法を更に提供し、目標ＭＣＳに基づいて変調符号化されたペイロード部分を付帯するランダムアクセスメッセージ１を受信することを含む。
【００１２】
第３態様として、本開示の実施例は、端末機器を更に提供し、目標ＭＣＳに基づいて変調符号化されたペイロード部分を付帯するランダムアクセスメッセージ１を送信する送信モジュールを含む。
【００１３】
第４態様として、本開示の実施例は、ネットワーク機器を更に提供し、目標ＭＣＳに基づいて変調符号化されたペイロード部分を付帯するランダムアクセスメッセージ１を受信する受信モジュールを含む。
【００１４】
第５態様として、本開示の実施例は、メモリと、プロセッサと、前記メモリに格納され、前記プロセッサで実行可能なコンピュータプログラムとを含む通信機器を更に提供し、前記コンピュータプログラムが前記プロセッサによって実行されると、上記の端末機器に応用されるランダムアクセス方法のステップ、又は、上記のネットワーク機器に応用されるランダムアクセス方法が実現される。該通信機器は、任意選択で、端末機器又はネットワーク機器である。
【００１５】
第６態様として、本開示の実施例は、コンピュータプログラムが格納されているコンピュータ読み取り可能な記憶媒体を更に提供し、前記コンピュータプログラムがプロセッサによって実行されると、上記の端末機器に応用されるランダムアクセス方法、又は、上記のネットワーク機器に応用されるランダムアクセス方法が実現される。
【発明の効果】
【００１６】
本開示の実施例において、ランダムアクセスメッセージ１に付帯されるペイロード部分を目標ＭＣＳに基づいて変調符号化することにより、ランダムアクセスプロセスにおいてメッセージ１に付帯されるペイロード部分がどのように変調符号化されるかを明確にすることができ、該ペイロード部分がネットワーク側に正しく受信されることを保証し、ネットワーク側での受信処理の複雑度を低減し、通信の有効性及び信頼性を保証することができる。
【００１７】
本開示の実施例の技術手段をより明確に説明するために、以下、本開示の実施例の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【図面の簡単な説明】
【００１８】
【図１】本開示の実施例に係るランダムアクセス方法のフロチャートである。
【図２】本開示の実施例に係る別のランダムアクセス方法のフロチャートである。
【図３】本開示の実施例に係る端末機器の構造図その１である。
【図４】本開示の実施例に係るネットワーク機器の構造図その１である。
【図５】本開示の実施例に係る端末機器の構造図その２である。
【図６】本開示の実施例に係るネットワーク機器の構造図その２である。
【発明を実施するための形態】
【００１９】
本開示の実施例の技術手段をより明確に説明するために、以下、本開示の実施例の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【００２０】
本開示の明細書及び特許請求の範囲における「第１」、「第２」などの用語は、特定の順序又は前後順を記述するために使用されるのではなく、類似の対象を区別するために使用される。そのように使用されるデータは、本明細書に記載される本開示の実施例が、例えば、本明細書に図示又は記載されるもの以外の順序でも実施できるように、適切に交換されることが理解されるべきである。更に、「含む」及び「有する」という用語ならびにそれらの任意の変形は、非排他的な包含をカバーすることを意図しており、例えば、一連の工程又はユニットを含むプロセス、方法、システム、製品又は機器は、必ずしも明確に列挙されたそれらの工程又はユニットに限定されるものではなく、明確に列挙されていないものや、それらのプロセス、方法、製品又は機器に固有の他の工程又はユニットを含んでもよい。本明細書及び特許請求の範囲において、「及び／又は」は、連結された対象の少なくとも１つを意味する。
【００２１】
本明細書で説明される技術は、ＬＴＥ（Ｌｏｎｇ  Ｔｉｍｅ  Ｅｖｏｌｕｔｉｏｎ）／ＬＴＥ−Ａ（ＬＴＥ−Ａｄｖａｎｃｅｄ）システムに限定されず、ＣＤＭＡ（Ｃｏｄｅ  Ｄｉｖｉｓｉｏｎ  Ｍｕｌｔｉｐｌｅ  Ａｃｃｅｓｓ）ＴＤＭＡ（Ｔｉｍｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ−ｃａｒｒｉｅｒ  Ｆｒｅｑｕｅｎｃｙ−Ｄｉｖｉｓｉｏｎ  Ｍｕｌｔｉｐｌｅ  Ａｃｃｅｓｓ）及び他のシステムなどの様々な無線通信システムに使用される。用語「システム」及び「ネットワーク」は、しばしば交換可能に使用される。ＣＤＭＡシステムは、ＣＤＭＡ２０００、ＵＴＲＡ（Ｕｎｉｖｅｒｓａｌ  Ｔｅｒｒｅｓｔｒｉａｌ  Ｒａｄｉｏ  Ａｃｃｅｓｓ）などの無線技術を実現できる。ＵＴＲＡは、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）及び他のＣＤＭＡ変形形態を含む。ＴＤＭＡシステムは、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）などの無線技術を実現できる。ＯＦＤＭＡシステムは、ＵＭＢ（Ｕｌｔｒａ  Ｍｏｂｉｌｅ  Ｂｒｏａｄｂａｎｄ）、Ｅ−ＵＴＲＡ（Ｅｖｏｌｕｔｉｏｎ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭなどの無線技術を実現できる。ＵＴＲＡ及びＥ−ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の部分である。ＬＴＥ及びＬＴＥ−Ａなどのより高度なＬＴＥは、Ｅ−ＵＴＲＡを使用する新しいＵＭＴＳリリースである。ＵＴＲＡ、Ｅ−ＵＴＲＡ、ＵＭＴＳ、ＬＴＥ、ＬＴＥ−Ａ及びＧＳＭは、「第３世代パートナーシッププロジェクト」（３ｒｄ  Ｇｅｎｅｒａｔｉｏｎ  Ｐａｒｔｎｅｒｓｈｉｐ  Ｐｒｏｊｅｃｔ、３ＧＰＰ）という名称の組織からの文書に記載されている。ＣＤＭＡ２０００及びＵＭＢは、「第３世代パートナーシッププロジェクト２」（３ＧＰＰ２）という名称の組織からの文書に記載されている。本明細書で説明される技術は、以上で言及されたシステム及び無線技術に使用されるのみならず、他のシステム及び無線技術にも使用される。しかしながら、以下の説明は、例示の目的でＮＲシステムを説明し、以下の説明の大部分においてＮＲという用語が使用されるが、実施例は、限定を旨とされなく、例のみとして挙げられるものであり、これらの技術は、ＮＲシステムの適用例以外の適用例にも適用される。
【００２２】
以下の説明は、特許請求の範囲に記載された範囲、適用可能性又は設定を限定することなく例を提供する。本開示の趣旨及び範囲から逸脱することなく、論じられた要素の機能及び配置を変更することができる。様々な例は、様々な手順又は設定要素を適切に省略、置換又は追加することができる。例えば、説明された方法は、説明されたものとは異なる順序で実行されてもよく、様々なステップが追加、省略、又は組み合わされてもよい。更に、いくつかの例を参照して説明される特徴は、他の例において組み合わされてもよい。
【００２３】
本開示の実施例に係る無線通信システムは、端末機器とネットワーク機器とを含む。ここで、端末機器は、端末又はユーザ機器ＵＥ（Ｕｓｅｒ  Ｅｑｕｉｐｍｅｎｔ）とも呼ばれる。端末機器は、携帯電話、タブレットパソコン（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、ＰＤＡ（Ｐｅｒｓｏｎａｌ  Ｄｉｇｉｔａｌ  Ａｓｓｉｓｔａｎｔ）、ＭＩＤ（Ｍｏｂｉｌｅ  Ｉｎｔｅｒｎｅｔ  Ｄｅｖｉｃｅ）、ウェアラブルデバイス（Ｗｅａｒａｂｌｅ  Ｄｅｖｉｃｅ）又は車載機器などの端末側機器である。なお、本開示の実施例において、端末の具体的なタイプは、限定されない。ネットワーク機器は、基地局又はコアネットワークである。ここで、上記基地局は、５Ｇ以降のバージョンの基地局（例えばｇＮＢ、５Ｇ  ＮＲ  ＮＢなど）、又は他の通信システムにおける基地局（例えばｅＮＢ、ＷＬＡＮアクセスポイント、又は他のアクセスポイントなど）であってもよい。ここで、基地局は、ノードＢ、発展型ノードＢ、アクセスポイント、ＢＴＳ（Ｂａｓｅ  Ｔｒａｎｓｃｅｉｖｅｒ  Ｓｔａｔｉｏｎ）、無線基地局、無線トランシーバ、ＢＳＳ（Ｂａｓｉｃ  Ｓｅｒｖｉｃｅ  Ｓｅｔ）、ＥＳＳ（Ｅｘｔｅｎｄｅｄ  Ｓｅｒｖｉｃｅ  Ｓｅｔ）、Ｂノード、発展型Ｂノード（ｅＮＢ）、ホームＢノード、ホーム発展型ノードＢ、ＷＬＡＮアクセスポイント、ＷｉＦｉ（Ｗｉｒｅｌｅｓｓ  Ｆｉｄｅｌｉｔｙ）ノード、又は所属分野における他の何らかの適切な用語で呼ばれてもよい。同様の技術的効果を奏する限り、前記基地局は、特定の技術用語に限定されない。なお、本開示の実施例において、単にＮＲシステムにおける基地局を例として説明するが、基地局の具体的な種類を限定しない。
【００２４】
図１を参照し、本開示の実施例は、端末機器に応用されるランダムアクセス方法を提供する。前記方法は、目標ＭＣＳに基づいて変調符号化されたペイロード部分を付帯するランダムアクセスメッセージ１を送信するステップ１０１を含む。
【００２５】
なお、該ランダムアクセスメッセージ１は、具体的にはランダムアクセスプロセスにおけるメッセージであり得、任意選択で、２段階ランダムアクセス（２−ｓｔｅｐ  ＲＡＣＨ）プロセスにおける要求メッセージであり、例えばＭｓｇ１である。
【００２６】
該ランダムアクセスメッセージ１は、プリアンブルと、ペイロード部分を付帯する。該ペイロード部分は、上りデータ及び／又は制御情報等を含む。該ペイロード部分は、データチャネル、制御チャネル、及び／又は他のチャネルによって付帯される。例えば、該ペイロード部分の中の上りデータは、ＰＵＳＣＨ（Ｐｈｙｓｉｃａｌ  Ｕｐｌｉｎｋ  Ｓｈａｒｅｄ  Ｃｈａｎｎｅｌ）によって付帯され、該ペイロード部分の中の制御情報は、ＰＵＣＣＨ（Ｐｈｙｓｉｃａｌ  Ｕｐｌｉｎｋ  Ｃｏｎｔｒｏｌ  Ｃｈａｎｎｅｌ）によって付帯され、又はＰＵＳＣＨ上で上りデータと多重されて付帯される。
【００２７】
任意選択で、該目標ＭＣＳ（Ｍｏｄｕｌａｔｉｏｎ  ａｎｄ  Ｃｏｄｉｎｇ  Ｓｃｈｅｍｅ）は、プロトコルによって取り決められてもよく、ネットワーク機器によって設定されてもよい。具体的には、該目標ＭＣＳは、予め定義されたＭＣＳ、又は、（ネットワーク機器から）システムブロードキャストメッセージ又は上位層シグナリングによって指示されるＭＣＳである。
【００２８】
なお、端末機器は、目標ＭＣＳに基づいてＭｓｇ１のペイロード部分を変調符号化する前に、まず、ネットワーク機器から、そのために設定されたＭＣＳを受信する。一方、ネットワーク機器がＭＣＳを設定していない場合、端末機器は、デフォルトＭＣＳ、即ち、予め定義されたＭＣＳを採用してもよい。更に、いくつかのシナリオでは、ネットワーク機器から端末機器に対してＭＣＳを設定しないことが事前に取り決められていると仮定すると、端末機器は、予め定義されたＭＣＳを直接用いてＭｓｇ１のペイロード部分を変調符号化する。
【００２９】
本開示の実施例に係るランダムアクセス方法は、ランダムアクセスメッセージ１に付帯されるペイロード部分を目標ＭＣＳに基づいて変調符号化することにより、ランダムアクセスプロセスにメッセージ１に付帯されるペイロード部分がどのように変調符号化されるかを明確にすることができ、該ペイロード部分がネットワーク側に正しく受信されることを保証し、ネットワーク側での受信処理の複雑度を低減し、通信の有効性及び信頼性を保証することができる。
【００３０】
本発明の実施例において、上記の目標ＭＣＳの特定方式に加えて、目標ＭＣＳは、ＭＣＳセットから端末機器によって自ら特定されて選択されてもよい。該ＭＣＳセットは、プロトコルによって取り決められてもよいし、ネットワーク機器によって設定されてもよい。具体的には、ステップ１０１の前に、前記方法は、端末機器がＭＣＳセットを取得することと、端末機器がＭＣＳセットから目標ＭＣＳを選択することとを更に含む。
【００３１】
ここで、該ＭＣＳセットは、予め定義されたＭＣＳセット、又は、（ネットワーク機器から）システムブロードキャストメッセージ又は上位層シグナリングによって指示されるＭＣＳセットである。
【００３２】
端末機器がＭＣＳセットから目標ＭＣＳを選択するプロセスとして、端末機器が信号測定結果及び／又は該２段階ランダムアクセス要求メッセージのペイロードサイズに基づいて、ＭＣＳセットから目標ＭＣＳを選択する。
【００３３】
任意選択で、該信号測定結果は、ＲＳＲＰ（Ｒｅｆｅｒｅｎｃｅ  Ｓｉｇｎａｌ  Ｒｅｃｅｉｖｉｎｇ  Ｐｏｗｅｒ）、ＲＳＲＱ（Ｒｅｆｅｒｅｎｃｅ  Ｓｉｇｎａｌ  Ｒｅｃｅｉｖｉｎｇ  Ｑｕａｌｉｔｙ）、ＲＳＳＩ（Ｒｅｃｅｉｖｅｄ  Ｓｉｇｎａｌ  Ｓｔｒｅｎｇｔｈ  Ｉｎｄｉｃａｔｉｏｎ）の少なくとも１つである。なお、ペイロード部分が具体的にはデータ部分である場合、対応するペイロードサイズは、ＴＢ（Ｔｒａｎｓｐｏｒｔ  Ｂｌｏｃｋ）のサイズである。
【００３４】
例えば、実際の応用では、ネットワーク機器は、ＲＳＲＰなどの信号測定結果に基づいてＭＣＳを選択するための閾値を端末機器に対して設定する。これにより、端末機器は、ＭＣＳセットからＭＣＳを選択する際に、該閾値に基づいて、マッチするＭＣＳを選択する。例えば、ＲＳＲＰに基づいて目標ＭＣＳを選択する場合、ＭＣＳセットに含まれるＭＣＳがＭＣＳ１、ＭＣＳ２、ＭＣＳ３であれば、ネットワーク機器は、ＲＳＲＰの閾値をＸ１、Ｘ２に設定し、それによって、端末機器は、下記の表１に示す対応関係に基づいて目標ＭＣＳを選択することができる。
【００３５】
【表１】
2021532672.tif 000004
【００３６】
また、例えば、実際の応用では、ネットワーク機器は、ペイロードサイズ（Ｐａｙｌｏａｄ  ｓｉｚｅ）に基づいてＭＣＳを選択するための閾値を端末機器に対して設定する。これにより、端末機器は、ＭＣＳセットからＭＣＳを選択する際に、該閾値に基づいて、マッチするＭＣＳを選択する。
【００３７】
例えば、ペイロードサイズに基づいて目標ＭＣＳを選択する場合、ＭＣＳセットに含まれるＭＣＳがＭＣＳ４、ＭＣＳ５、ＭＣＳ６であれば、ネットワーク機器は、ペイロードサイズの閾値をＸ３、Ｘ４に設定し、それによって、端末機器は、下記の表２に示す対応関係に基づいて目標ＭＣＳを選択することができる。
【００３８】
【表２】
2021532672.tif 000005
【００３９】
なお、上記のＲＳＲＰに基づいて目標ＭＣＳを選択する例と、上記のペイロードサイズに基づいて目標ＭＣＳを選択する例を基に、信号測定結果及びペイロードサイズに基づく場合、端末機器は、同様にネットワーク機器によって設定された閾値（信号測定結果の閾値及びペイロードサイズの閾値を含む）及び対応する対応関係に基づいて、信号測定結果及びペイロードサイズを参照して、マッチするＭＣＳを選択するが、ここでは繰り返して述べない。
【００４０】
本開示の実施例において、目標ＭＣＳがＭＣＳセットから選択される場合、ネットワーク機器が該目標ＭＣＳを取得してランダムアクセスメッセージ１を正しく処理することを保証するために、端末機器は、ランダムアクセスメッセージ１を送信すると同時に、該ランダムアクセスメッセージ１の関連情報によって該目標ＭＣＳをネットワーク機器に指示することができる。
【００４１】
具体的には、該ランダムアクセスメッセージ１は、目標ＭＣＳを明示的に指示するためのＵＣＩ（Ｕｐｌｉｎｋ  Ｃｏｎｔｒｏｌ  Ｉｎｆｏｒｍａｔｉｏｎ）を付帯する。
【００４２】
なお、該ＵＣＩは、予め定義されたＭＣＳ又はネットワーク機器によって設定されたＭＣＳで変調符号化される。該ＵＣＩは、ペイロード部分のデータチャネル又は制御チャネルに付帯され、該ペイロード部分と共に送信される。該ＵＣＩは、ペイロード部分のデータ部分とは異なるＭＣＳを採用してもよく、データ部分とは別々に符号化され得る。なお、具体的な実現において、該ＵＣＩは、目標ＭＣＳを明示的に指示することに限定されず、他の情報を指示してもよく、本開示の実施例において、これについて限定しない。
【００４３】
または、該ランダムアクセスメッセージ１は、目標ＭＣＳを暗黙的に指示するためのＤＭＲＳ（Ｄｅｍｏｄｕｌａｔｉｏｎ  Ｒｅｆｅｒｅｎｃｅ  Ｓｉｇｎａｌ）を付帯する。
【００４４】
なお、該ＤＭＲＳの設定パラメータは、ネットワーク機器によって設定され、且つ該ＤＭＲＳの設定パラメータは、複数のＤＭＲＳ設定又は複数のＤＭＲＳシーケンスを含む。任意選択で、該ＤＭＲＳの設定パラメータがａ個のＤＭＲＳ設定を含む場合、１つ又はｂ個のＤＭＲＳ設定は、ＭＣＳセットの中の１つのＭＣＳに関連付けられる。又は、該ＤＭＲＳの設定パラメータがｃ個のＤＭＲＳシーケンスを含む場合、１つ又はｄ個のＤＭＲＳシーケンスは、ＭＣＳセットの中の１つのＭＣＳに関連付けられる。ここで、ａ、ｂ、ｃ及びｄは、１より大きい正の整数であり、ｂは、ａ以下であり、ｄは、ｃ以下である。
【００４５】
なお、該ＤＭＲＳの設定パラメータに含まれるＤＭＲＳ設定は、具体的には、ＤＭＲＳポート又はＤＭＲＳの時間領域リソース、又は、ＤＭＲＳポート又はＤＭＲＳの周波数領域リソースなどであり得る。
【００４６】
例えば、端末機器がランダムアクセスメッセージ１に付帯されるＤＭＲＳによって目標ＭＣＳを指示する場合、ＤＭＲＳシーケンス１、２及び３が設定され、ＭＣＳセットに含まれるＭＣＳがＭＣＳ１、ＭＣＳ２及びＭＣＳ３であれば（なお、ＤＭＲＳシーケンスの数とＭＣＳセットに含まれるＭＣＳの数が必ずしも等しいとは限らないが、ここでは等しいである例のみを示す）、ＤＭＲＳシーケンスと目標ＭＣＳとの対応指示関係は、下記の表３のように示され得る。
【００４７】
【表３】
2021532672.tif 000006
【００４８】
又は、該ランダムアクセスメッセージ１は、プリアンブルを付帯し得、該プリアンブル及び／又は該プリアンブルに対応するＰＲＡＣＨ機会は、目標ＭＣＳを暗黙的に指示する。
【００４９】
なお、該プリアンブルと目標ＭＣＳとの関連関係は、ネットワーク機器によって設定され得、且つ１つ又は複数のプリアンブルは、ＭＣＳセットの中の１つのＭＣＳに関連付けられる。該ＰＲＡＣＨ機会と目標ＭＣＳとの関連関係は、ネットワーク機器によって設定され得、且つ１つ又は複数のＰＲＡＣＨ機会は、ＭＣＳセットの中の１つのＭＣＳに関連付けられる。
【００５０】
以下、具体的な実施例を参照しながら本開示のランダムアクセスプロセスを説明する。
【００５１】
本開示の１つの具体的な実施例において、２段階ランダムアクセス（２−ｓｔｅｐ  ＲＡＣＨ）の前に、ユーザ機器ＵＥは、まず、同期信号ブロックＳＳｂｌｏｃｋ（Ｓｙｎｃｈｒｏｎｉｚａｔｉｏｎ／ＰＢＣＨ  ｂｌｏｃｋ）を測定し、ＲＳＲＰ、ＲＳＲＱ及び／又はＲＳＳＩなどの測定報告を報告し得る。基地局などのネットワーク機器は、ユーザ機器ＵＥによって報告された測定報告を受信すると、該測定報告に基づいて、ユーザ機器ＵＥにＭＣＳ又はＭＣＳセットを設定し得る。それによって、ユーザ機器ＵＥは、ＭＣＳ又はＭＣＳセットに基づいて、２段階ランダムアクセスにＭＳＧ１に付帯されるペイロード部分を変調符号化する。
【００５２】
本開示の別の具体的な実施例において、ユーザ機器ＵＥがネットワーク側から取得したＭＳＧ１送信設定は、以下のうちの少なくとも１つを含む。
ランダムアクセスチャネル（ＰＲＡＣＨ）の設定パラメータ：該設定パラメータは、プリアンブル（Ｐｒｅａｍｂｌｅ）フォーマット、時間周波数領域リソースなどを含み、ＭＳＧ１に付帯されるプリアンブルを処理するために用いられる。
ペイロード（ｐａｙｌｏａｄ）部分の設定パラメータ：該設定パラメータは、Ｎ個のＭＣＳを含んでもよい。ここで、該設定パラメータがない場合、ユーザ機器ＵＥは、デフォルトＭＣＳ又はデフォルトＭＣＳセットを採用し得る。
ＵＣＩがＰＵＳＣＨ上で伝送されるときの設定パラメータ：該設定パラメータは、ｂｅｔａ値、符号化率（ｃｏｄｅ  ｒａｔｅ）、変調方式、時間周波数領域リソースなどを含んでもよい。ここで、該設定パラメータがない場合、ユーザ機器ＵＥは、ＵＣＩのデフォルトパラメータを採用し得る。
【００５３】
上記の設定に基づいて、ユーザ機器ＵＥは、対応するＭＳＧ１を送信し得る。Ｎ＝１の場合、ユーザ機器ＵＥは、該ＭＣＳに基づいて、ＭＳＧ１に付帯されるペイロード部分を変調符号化し得る。Ｎ＞１の場合、ユーザ機器ＵＥは、信号（ＲＳＲＰ、ＲＳＲＱ及び／又はＲＳＳＩ）測定結果及び／又はＭＳＧ１ペイロードサイズに基づいて、適切なＭＣＳを特定し、この特定されたＭＣＳを用いて、ＭＳＧ１に付帯されるペイロード部分を変調符号化し得る。更に、ＭＳＧ１を送信するとき、ユーザ機器ＵＥは、ＵＣＩの設定パラメータ又はデフォルトパラメータに基づいて、使用されたＭＣＳをＵＣＩで明示的に指示する。
【００５４】
本開示のまた別の具体的な実施例において、ユーザ機器ＵＥがネットワーク側から取得したＭＳＧ１送信設定は、以下のうちの少なくとも１つを含む。
ランダムアクセスチャネル（ＰＲＡＣＨ）の設定パラメータ：該設定パラメータは、プリアンブル（Ｐｒｅａｍｂｌｅ）フォーマット、時間周波数領域リソースなどを含んでもよく、ＭＳＧ１に付帯されるプリアンブルを処理するために用いられる。
ペイロード部分の設定パラメータ：該設定パラメータは、Ｎ個のＭＣＳを含んでもよい。ここで、該設定パラメータがない場合、ユーザ機器ＵＥは、デフォルトＭＣＳ又はデフォルトＭＣＳセットを採用し得る。
ＤＭＲＳの設定パラメータ：該設定パラメータは、Ｍ１個のＤＭＲＳ設定、又はＭ２個のＤＭＲＳシーケンスを含んでもよい。ここで、Ｍ１個のＤＭＲＳ設定が含まれる場合、Ｎ個のＭＣＳは、Ｍ１個のＤＭＲＳ設定に関連付けられる。例えば、ＭＣＳ  ｎは、ＤＭＲＳ設定ｍ１に対応する。ｍ１は、Ｍ１  ｍｏｄ  Ｎに等しく、ｍｏｄは、余数関数である。Ｍ２個のＤＭＲＳシーケンスが含まれる場合、Ｎ個のＭＣＳは、Ｍ２個のＤＭＲＳシーケンスに関連付けられる。例えば、ＭＣＳ  ｎは、ＤＭＲＳシーケンスｍ２に対応し得る。ｍ２は、Ｍ２  ｍｏｄ  Ｎに等しく、ｍｏｄは、余数関数である。Ｍ１及びＭ２は、１より大きい正の整数であり、ｍ１は、Ｍ１以下であり、ｍ２は、Ｍ２以下であり、０≦ｎ≦Ｎ−１である。一方、該設定パラメータがない場合、ユーザ機器ＵＥは、ＤＭＲＳのデフォルトパラメータを採用する。
【００５５】
上記の設定に基づいて、ユーザ機器ＵＥは、対応するＭＳＧ１を送信し得る。Ｎ＝１の場合、ユーザ機器ＵＥは、該ＭＣＳに基づいて、ＭＳＧ１に付帯されるペイロード部分を変調符号化し得る。Ｎ＞１の場合、ユーザ機器ＵＥは、信号（ＲＳＲＰ、ＲＳＲＱ及び／又はＲＳＳＩ）測定結果及び／又はＭＳＧ１ペイロードサイズに基づいて、適切なＭＣＳを特定し得る。この特定されたＭＣＳを用いて、ＭＳＧ１に付帯されるペイロード部分を変調符号化する。更に、ＭＳＧ１を送信するとき、ユーザ機器ＵＥは、ＤＭＲＳの設定パラメータ又はデフォルトパラメータに基づいて、対応するＤＭＲＳを選択して、使用されたＭＣＳを暗黙的に指示する。
【００５６】
本開示の更に別の具体的な実施例において、ユーザ機器ＵＥがネットワーク側から取得したＭＳＧ１送信設定は、以下のうちの少なくとも１つを含む。
ランダムアクセスチャネル（ＰＲＡＣＨ）の設定パラメータ：該設定パラメータは、プリアンブル（Ｐｒｅａｍｂｌｅ）フォーマット、時間周波数領域リソースなどを含み、ＭＳＧ１に付帯されるプリアンブルを処理するために用いられる。
ペイロード部分の設定パラメータ：該設定パラメータは、Ｎ個のＭＣＳを含んでもよい。ここで、該設定パラメータがない場合、ユーザ機器ＵＥは、デフォルトＭＣＳ又はデフォルトＭＣＳセットを採用し得る。
プリアンブルとＭＣＳとの関連関係、及び／又はＰＲＡＣＨ機会とＭＣＳとの関連関係：例えば、Ｍ個のＭＣＳごとに１つのＰＲＡＣＨ機会が関連付けられ、及び／又は、競合に基づくＣＢ（ｃｏｎｔｅｎｔｉｏｎ  ｂａｓｅｄ）プリアンブルＲ個が各ＭＣＳに関連付けられる。具体的には、例えばＲ個の連続番号のＣＢプリアンブルは、各ＰＲＡＣＨ機会において、ＭＣＳ  ｎと関連付けられる。０≦ｎ≦Ｎ−１。プリアンブルインデックスは、ｎ*６４／Ｎから始まる。
【００５７】
例えば、ＰＲＡＣＨ機会とＭＣＳとの関連関係を設定する際に、Ｍ＝１／４であれば、１つのＭＣＳは、４つのＰＲＡＣＨ機会に関連付けられ、Ｍ＝２であれば、２つのＭＣＳは、１つのＰＲＡＣＨ機会に関連付けられる。
【００５８】
また、例えば、プリアンブルとＭＣＳとの関連関係を設定する際に、Ｒ＝８であれば、各ＭＣＳは、８つのＣＢ  Ｐｒｅａｍｂｌｅに関連付けられ、Ｒ＝４であれば、各ＭＣＳは、４つのＣＢ  Ｐｒｅａｍｂｌｅに関連付けられる。
【００５９】
また、例えば、プリアンブル及びＰＲＡＣＨ機会に対するＭＣＳの関連関係を設定する際に、各ＰＲＡＣＨ機会のＣＢ  Ｐｒｅａｍｂｌｅの数は、Ｒ＊ｍａｘ（１，Ｍ）であり得る。Ｎ＝４、Ｍ＝１／４、Ｒ＝８であれば、各ＰＲＡＣＨ機会のＣＢ  Ｐｒｅａｍｂｌｅの数は、Ｒ＊ｍａｘ（１，Ｍ）＝８であり、４つのＰＲＡＣＨ機会は、１つのＭＣＳに関連付けられる。該４つのＰＲＡＣＨ機会のうち、各ＰＲＡＣＨ機会の８つのＣＢ  Ｐｒｅａｍｂｌｅは、該ＭＣＳに関連付けられる。具体的には、ＰＲＡＣＨ伝送時刻毎に４つのＦＤＭのＰＲＡＣＨ機会があり、１つのＰＲＡＣＨ  ｓｌｏｔに４つのＰＲＡＣＨ伝送時刻があるとすると、ＭＣＳ０は、ＰＲＡＣＨ伝送時刻１のＦＤＭの４つのＰＲＡＣＨ機会に関連付けられ、ＭＣＳ１は、ＰＲＡＣＨ伝送時刻２のＦＤＭの４つのＰＲＡＣＨ機会に関連付けられ、このように類推する。この例では、各ＰＲＡＣＨ機会のＣＢ  Ｐｒｅａｍｂｌｅは、１つのＭＣＳに関連付けられる。
【００６０】
又は、Ｎ＝８、Ｍ＝２、Ｒ＝４であれば、各ＰＲＡＣＨ機会のＣＢ  Ｐｒｅａｍｂｌｅの数は、Ｒ＊ｍａｘ（１，Ｍ）＝８であり、１つのＰＲＡＣＨ機会は、２つのＭＣＳに関連付けられ、各ＰＲＡＣＨ機会では、各ＭＣＳは、４つのＣＢ  Ｐｒｅａｍｂｌｅに関連付けられる。具体的には、ＰＲＡＣＨ伝送時刻毎に、ＦＤＭのＰＲＡＣＨ機会が２つあり、１つのＰＲＡＣＨ  ｓｌｏｔに２つのＰＲＡＣＨ伝送時刻があるとすると、ＭＣＳ０〜１は、ＰＲＡＣＨ伝送時刻１のＦＤＭのＰＲＡＣＨ機会１に関連付けられ、ＭＣＳ２〜３は、ＰＲＡＣＨ伝送時刻１のＦＤＭのＰＲＡＣＨ機会２に関連付けられ、ＰＲＡＣＨ機会１において、プリアンブル０〜３は、ＭＣＳ０に関連付けられてもよく、プリアンブル４〜７は、ＭＣＳ１に関連付けられてもよく、ＰＲＡＣＨ機会２において、プリアンブル８〜１１は、ＭＣＳ２に関連付けられてもよく、プリアンブル１２〜１５は、ＭＣＳ３に関連付けられてもよい。このように類似し、ＰＲＡＣＨ伝送時刻２のＦＤＭの２つのＰＲＡＣＨ機会において、プリアンブル（ｐｒｅａｍｂｌｅ）とＭＣＳとは、同じ対応関係にある。
【００６１】
又は、Ｎ＝４、Ｍ＝１／４、Ｒ＝８であれば、各ＰＲＡＣＨ機会のＣＢ  Ｐｒｅａｍｂｌｅの数は、Ｒ＊ｍａｘ（１，Ｍ）＝８であり、４つのＰＲＡＣＨ機会は、１つのＭＣＳに関連付けられる。この４つのＰＲＡＣＨ機会のうち、各ＰＲＡＣＨ機会の８つのＣＢ  Ｐｒｅａｍｂｌｅは、該ＭＣＳに関連付けられる。具体的には、各ＰＲＡＣＨ伝送時刻にＦＤＭのＰＲＡＣＨ機会が４つあり、１つのＰＲＡＣＨ  ｓｌｏｔに２つのＰＲＡＣＨ伝送時刻がある場合、ＭＣＳ０は、ＰＲＡＣＨ  ｓｌｏｔ１のＰＲＡＣＨ伝送時刻１の４つのＰＲＡＣＨ機会に関連付けられてもよく、ＭＣＳ１は、ＰＲＡＣＨ  ｓｌｏｔ１のＰＲＡＣＨ伝送時刻２の４つのＰＲＡＣＨ機会に関連付けられてもよく、ＭＣＳ２は、ＰＲＡＣＨ  ｓｌｏｔ２のＰＲＡＣＨ伝送時刻１の４つのＰＲＡＣＨ機会に関連付けられてもよく、ＭＣＳ３は、ＰＲＡＣＨ  ｓｌｏｔ２のＰＲＡＣＨ伝送時刻２の４つのＰＲＡＣＨ機会に関連付けられてもよい。
【００６２】
なお、ＭＣＳは、以下の順でＰＲＡＣＨ機会に関連付けられてもよい。まず、ＭＣＳは、プリアンブル（ｐｒｅａｍｂｌｅ）インデックス（ｉｎｄｅｘ）の昇順又は降順で、１つのＰＲＡＣＨ機会の複数のプリアンブル（ｐｒｅａｍｂｌｅ）に関連付けられる。次に、ＭＣＳは、周波数領域リソースインデックス（ｆｒｅｑｕｅｎｃｙ  ｒｅｓｏｕｒｃｅ  ｉｎｄｅｘ）の昇順又は降順でＦＤＭの複数のＰＲＡＣＨ機会に関連付けられる。その後、ＭＣＳは、時間領域リソースインデックス（ｔｉｍｅ  ｒｅｓｏｕｒｃｅ  ｉｎｄｅｘ）の昇順又は降順で１つのＰＲＡＣＨスロットのＴＤＭの複数のＰＲＡＣＨ機会に関連付けられる。最後に、ＰＲＡＣＨスロットの昇順で複数のＰＲＡＣＨ機会に関連付けられる。
【００６３】
上記の設定に基づいて、ユーザ機器ＵＥは、対応するＭＳＧ１を送信し得る。Ｎ＝１の場合、ユーザ機器ＵＥは、該ＭＣＳに基づいて、ＭＳＧ１に付帯されるペイロード部分を変調符号化し得る。Ｎ＞１の場合、ユーザ機器ＵＥは、信号（ＲＳＲＰ、ＲＳＲＱ及び／又はＲＳＳＩ）測定結果及び／又はＭＳＧ１ペイロードサイズに基づいて、適切なＭＣＳを特定し得、この特定されたＭＣＳを用いて、ＭＳＧ１に付帯されるペイロード部分を変調符号化する。更に、ＭＳＧ１を送信するとき、ユーザ機器ＵＥは、ＭＳＧ１に付帯されるプリアンブル及び／又は該プリアンブルに対応するＰＲＡＣＨ機会によって、使用されたＭＣＳを暗黙的に指示する。
【００６４】
図２を参照し、本開示の実施例は、ネットワーク機器に応用されるランダムアクセス方法を更に提供する。前記方法は、目標ＭＣＳに基づいて変調符号化されたペイロード部分を付帯するランダムアクセスメッセージ１を受信するステップ２０１を含む。
【００６５】
なお、該ランダムアクセスメッセージ１は、具体的にはランダムアクセスプロセスにおけるメッセージであり得る。任意選択で、２段階ランダムアクセス（２−ｓｔｅｐ  ＲＡＣＨ）プロセスにおける要求メッセージ、例えばＭｓｇ１である。
【００６６】
該ランダムアクセスメッセージ１は、プリアンブルと、ペイロード部分を付帯し得る。該ペイロード部分は、上りデータ及び／又は制御情報等を含んでもよい。該ペイロード部分は、データチャネル、制御チャネル、及び／又は他のチャネルによって搬送され得る。例えば、該ペイロード部分の中の上りデータは、ＰＵＳＣＨによって搬送され得、該ペイロード部分の中の制御情報は、ＰＵＣＣＨによって付帯され得る。
【００６７】
本開示の実施例において、目標ＭＣＳに基づいて変調符号化されたペイロード部分を付帯するランダムアクセスメッセージ１を端末機器から受信し、ランダムアクセスプロセスにおいてメッセージ１に付帯されたペイロード部がどのように変調符号化されるかを明確にすることができ、これにより、当該ペイロード部分がネットワーク側に正しく受信されることを保証し、ネットワーク側の受信処理の複雑度を低減し、通信の有効性及び信頼性を保証することができる。
【００６８】
本開示の実施例において、任意選択で、前記目標ＭＣＳがＭＣＳセットから選択される場合、前記のランダムアクセスメッセージ１を受信することの後に、前記方法は、
前記ランダムアクセスメッセージ１に付帯されるＵＣＩによって前記目標ＭＣＳを取得することと、
前記ランダムアクセスメッセージ１に付帯されるＤＭＲＳによって前記目標ＭＣＳを取得することと、
前記ランダムアクセスメッセージ１に付帯されるプリアンブル、及び／又は、前記プリアンブルに対応するＰＲＡＣＨ機会によって前記目標ＭＣＳを取得することとのいずれかを更に含む。
ここで、前記ＵＣＩは、前記目標ＭＣＳを明示的に指示し、前記ＤＭＲＳは、前記目標ＭＣＳを暗黙的に指示し、前記プリアンブル、及び／又は、前記プリアンブルに対応するＰＲＡＣＨ機会は、前記目標ＭＣＳを暗黙的に指示する。
【００６９】
このように、目標ＭＣＳを取得した後、該目標ＭＣＳに基づいて、受信したランダムアクセスメッセージ１に付帯されたペイロード部分を復調復号化することによって、受信処理の正確性を保証することができる。
【００７０】
上記実施例は、本開示のランダムアクセス方法について説明したが、以下、実施例及び図面を参照しながら、本開示の端末機器及びネットワーク機器について説明する。
【００７１】
図３に示すように、本開示の実施例は、端末機器３を更に提供し、目標ＭＣＳに基づいて変調符号化されたペイロード部分を付帯するランダムアクセスメッセージ１を送信する送信モジュール３１を含む。
【００７２】
本開示の実施例に係る端末機器は、ランダムアクセスメッセージ１に付帯されるペイロード部分を目標ＭＣＳに基づいて変調符号化することにより、ランダムアクセスプロセスにおいてメッセージ１に付帯されるペイロード部分がどのように変調符号化されるかを明確にすることができ、該ペイロード部分がネットワーク側に正しく受信されることを保証し、ネットワーク側での受信処理の複雑度を低減し、通信の有効性及び信頼性を保証することができる。
【００７３】
本開示の実施例において、任意選択で、前記目標ＭＣＳは、予め定義されたＭＣＳ、又は、システムブロードキャストメッセージ又は上位層シグナリングによって指示されるＭＣＳである。
【００７４】
任意選択で、前記端末機器３は、ＭＣＳセットを取得する第１取得モジュールと、前記ＭＣＳセットから前記目標ＭＣＳを選択する選択モジュールとを更に含む。
【００７５】
任意選択で、前記ＭＣＳセットは、予め定義されたＭＣＳセット、又は、システムブロードキャストメッセージ又は上位層シグナリングによって指示されるＭＣＳセットである。
【００７６】
任意選択で、前記選択モジュールは、具体的には、信号測定結果及び／又は前記ランダムアクセスメッセージ１のペイロードサイズに基づいて、前記ＭＣＳセットから前記目標ＭＣＳを選択する。
【００７７】
任意選択で、前記ランダムアクセスメッセージ１は、前記目標ＭＣＳを明示的に指示するためのＵＣＩを付帯する。
又は、
前記ランダムアクセスメッセージ１は、前記目標ＭＣＳを暗黙的に指示するためのＤＭＲＳを付帯する。
又は、
前記ランダムアクセスメッセージ１は、プリアンブルを付帯し、前記プリアンブル及び／又は前記プリアンブルに対応するＰＲＡＣＨ機会は、前記目標ＭＣＳを暗黙的に指示する。
【００７８】
任意選択で、前記ＵＣＩは、予め定義されたＭＣＳ又はネットワーク機器によって設定されたＭＣＳで変調符号化される。
【００７９】
任意選択で、前記ＤＭＲＳの設定パラメータは、ネットワーク機器によって設定され、前記ＤＭＲＳの設定パラメータは、複数のＤＭＲＳ設定又は複数のＤＭＲＳシーケンスを含む。
【００８０】
任意選択で、前記ＤＭＲＳの設定パラメータがａ個のＤＭＲＳ設定を含む場合、１つ又はｂ個の前記ＤＭＲＳ設定は、前記ＭＣＳセットの中の１つのＭＣＳに関連付けられ、又は、前記ＤＭＲＳの設定パラメータがｃ個のＤＭＲＳシーケンスを含む場合、１つ又はｄ個の前記ＤＭＲＳシーケンスは、前記ＭＣＳセットの中の１つのＭＣＳに関連付けられる。ここで、ａ、ｂ、ｃ及びｄは、１より大きい正の整数であり、ｂは、ａ以下であり、ｄは、ｃ以下である。
【００８１】
任意選択で、前記プリアンブルと前記目標ＭＣＳとの関連関係は、ネットワーク機器によって設定され、１つ又は複数のプリアンブルは、前記ＭＣＳセットの中の１つのＭＣＳに関連付けられる。
【００８２】
任意選択で、前記ＰＲＡＣＨ機会と前記目標ＭＣＳとの関連関係は、ネットワーク機器によって設定され、１つ又は複数のＰＲＡＣＨ機会は、前記ＭＣＳセットの中の１つのＭＣＳに関連付けられる。
【００８３】
図４に示すように、本開示の実施例は、ネットワーク機器４を更に提供し、目標ＭＣＳに基づいて変調符号化されたペイロード部分を付帯するランダムアクセスメッセージ１を受信する受信モジュール４１を含む。
【００８４】
本開示の実施例に係るネットワーク機器は、目標ＭＣＳに基づいて変調符号化されたペイロード部分を付帯するランダムアクセスメッセージ１を端末機器から受信し、ランダムアクセスプロセスにおいてメッセージ１に付帯されたペイロード部がどのように変調符号化されるかを明確にすることができ、これにより、当該ペイロード部分がネットワーク側に正しく受信されることを保証し、ネットワーク側の受信処理の複雑度を低減し、通信の有効性及び信頼性を保証することができる。
【００８５】
本開示の実施例において、任意選択で、前記ネットワーク機器４は、第２取得モジュールを更に含む。第２取得モジュールは、前記目標ＭＣＳがＭＣＳセットから選択される場合、前記ランダムアクセスメッセージ１に付帯されるＵＣＩによって前記目標ＭＣＳを取得することと、前記ランダムアクセスメッセージ１に付帯されるＤＭＲＳによって前記目標ＭＣＳを取得することと、前記ランダムアクセスメッセージ１に付帯されるプリアンブル、及び／又は、前記プリアンブルに対応するＰＲＡＣＨ機会によって前記目標ＭＣＳを取得することとのいずれかの操作を実行する。
ここで、前記ＵＣＩは、前記目標ＭＣＳを明示的に指示し、前記ＤＭＲＳは、前記目標ＭＣＳを暗黙的に指示し、前記プリアンブル、及び／又は、前記プリアンブルに対応するＰＲＡＣＨ機会は、前記目標ＭＣＳを暗黙的に指示する。
【００８６】
本開示の実施例は、プロセッサと、メモリと、前記メモリに格納され、前記プロセッサで実行可能なコンピュータプログラムとを含む端末機器を更に提供し、前記コンピュータプログラムが前記プロセッサによって実行されると、上記の端末機器に応用されるランダムアクセス方法の実施例の各プロセスが実現され、且つ同一の技術効果を奏することもでき、重複を避けるために、ここでは繰り返して述べない。
【００８７】
具体的には、図５は、本開示の各実施例を実現する端末機器のハードウェア構造図である。該端末機器５００は、ラジオ周波数ユニット５０１と、ネットワークモジュール５０２と、音声出力ユニット５０３と、入力ユニット５０４と、センサ５０５と、表示ユニット５０６と、ユーザ入力ユニット５０７と、インタフェースユニット５０８と、メモリ５０９と、プロセッサ５１０と、電源５１１などの構成要素を含むが、これらに限定されない。図５に示される端末機器の構造は、端末機器を限定するものではなく、端末機器は、図示されるよりも多い又は少ない構成要素、又は特定の構成要素の組み合わせ、又は異なる構成要素の配置を含むことができることを、当業者は理解可能である。本開示の実施例において、端末機器は、携帯電話、タブレットパソコン、ノートパソコン、パームトップパソコン、車載端末、ウェアラブルデバイス及び歩数計などを含むが、それらに限定されない。
【００８８】
ここで、ラジオ周波数ユニット５０１は、ＭＣＳに基づいて変調符号化されたペイロード部分を付帯するランダムアクセスメッセージ１を送信する。
【００８９】
本開示の実施例に係る端末機器５００は、ランダムアクセスメッセージ１に付帯されるペイロード部分を目標ＭＣＳに基づいて変調符号化することにより、ランダムアクセスプロセスにおいてメッセージ１に付帯されるペイロード部分がどのように変調符号化されるかを明確にすることができ、該ペイロード部分がネットワーク側に正しく受信されることを保証し、ネットワーク側での受信処理の複雑度を低減し、通信の有効性及び信頼性を保証することができる。
【００９０】
なお、本開示の実施例において、ラジオ周波数ユニット５０１は、情報の送受信又は通話中で信号の送受信に用いられ、具体的に、基地局から下りデータを受信した後、プロセッサ５１０による処理に供し、また、上りデータを基地局に送信する。一般に、ラジオ周波数ユニット５０１は、アンテナ、少なくとも１つの増幅器、トランシーバ、結合器、低雑音増幅器、デュプレクサなどを含むが、それらに限定されない。また、ラジオ周波数ユニット５０１は、無線通信システムを介してネットワークや他の機器と通信を行うこともできる。
【００９１】
端末機器は、ネットワークモジュール５０２を介して、電子メールの送受信、ウェブページの閲覧、ストリーミングメディアへのアクセスを支援するなど、無線ブロードバンドインターネットアクセスをユーザに提供する。
【００９２】
音声出力ユニット５０３は、ラジオ周波数ユニット５０１やネットワークモジュール５０２が受信した音声データや、メモリ５０９に記憶された音声データを音声信号に変換して音声として出力することができる。また、音声出力ユニット５０３は、端末機器５００が実行する特定の機能に関する音声（例えば、呼出信号着信音、メッセージ着信音等）を出力してもよい。音声出力ユニット５０３は、スピーカ、ブザー及びレシーバなどを含む。
【００９３】
入力ユニット５０４は、音声や映像の信号を受信することに用いられる。入力ユニット５０４は、ビデオキャプチャモード又は画像キャプチャモードでカメラなどの画像キャプチャ装置によって取得された静止画又は動画の画像データを処理するＧＰＵ（Ｇｒａｐｈｉｃｓ  Ｐｒｏｃｅｓｓｉｎｇ  Ｕｎｉｔ）５０４１と、マイク５０４２とを含む。処理された画像フレームは、表示ユニット５０６上に表示される。グラフィックスプロセッサ５０４１で処理された画像フレームは、メモリ５０９（又は他の記憶媒体）に記憶され得るか、又はラジオ周波数ユニット５０１又はネットワークモジュール５０２を介して送信され得る。マイク５０４２は、音声を受信し得、音声データに加工することができる。処理された音声データは、電話通話モードの場合、ラジオ周波数ユニット５０１を介して移動体通信基地局に送信可能な形式に変換して出力することができる。
【００９４】
端末機器５００は、光センサ、モーションセンサ及び他のセンサのような少なくとも１つのセンサ５０５を更に含む。具体的には、光センサは、周辺光センサ及び近接センサを含む。周辺光センサは、周辺光の明暗に応じて表示パネル５０６１の輝度を調節し、近接センサは、端末機器５００が耳に移動したときに表示パネル５０６１及び／又はバックライトを消灯する。モーションセンサの１種として、加速度計センサは、様々な方向（一般的には３軸）の加速度の大きさを検出でき、静止時は重力の大きさ及び方向を検出でき、端末機器姿勢の認識（例えば、縦横画面切替、関連ゲーム、磁力計姿勢キャリブレーション）、振動認識関連機能（例えば、歩数計、ストローク）などに用いることができる。センサ５０５は、指紋センサ、圧力センサ、虹彩センサ、分子センサ、ジャイロスコープ、気圧計、湿度計、温度計、赤外線センサなどを更に含むことができるが、ここでは枚挙しない。
【００９５】
表示ユニット５０６は、ユーザが入力した情報やユーザに提供した情報を表示するために用いられる。表示ユニット５０６は、ＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ−Ｅｍｉｔｔｉｎｇ  Ｄｉｏｄｅ）などからなる表示パネル５０６１を含んでもよい。
【００９６】
ユーザ入力ユニット５０７は、数字や文字情報の入力を受け付け、ユーザによる端末機器の設定や機能制御に関するキー信号の入力を生成することに用いられる。具体的に、ユーザ入力ユニット５０７は、タッチパネル５０７１と、その他の入力機器５０７２とを含む。タッチパネル５０７１は、タッチスクリーンとも呼ばれ、その上又は付近でのユーザのタッチ操作を取得可能である（例えばユーザが指やスタイラスなどの任意の適切な物体や付属部材を用いたタッチパネル５０７１の上又はタッチパネル５０７１の付近での操作）。タッチパネル５０７１は、タッチ検出装置とタッチコントローラの２つの部分を含む。ここで、タッチ検出装置は、ユーザのタッチ方位を検出し、タッチ操作による信号を検出してタッチコントローラに伝達する。タッチコントローラは、タッチ検出装置からのタッチ情報を受信し、それを接点座標に変換してプロセッサ５１０に送り、プロセッサ５１０からの命令を受信して実行する。なお、タッチパネル５０７１は、抵抗膜式、静電容量式、赤外線、表面弾性波など、種々の方式を用いて実現することができる。ユーザ入力ユニット５０７は、タッチパネル５０７１の他に、他の入力機器５０７２を含んでもよい。具体的に、他の入力機器５０７２は、物理的なキーボード、機能キー（例えば、音量調節キー、スイッチキーなど）、トラックボール、マウス、レバーを含むが、ここでは枚挙しない。
【００９７】
更に、タッチパネル５０７１は、表示パネル５０６１に重ねられる。タッチパネル５０７１は、その上又はその近くでタッチ操作を検出すると、プロセッサ５１０に送信して、タッチイベントのタイプを特定する。次いで、プロセッサ５１０は、タッチイベントのタイプに応じて、対応する視覚的出力を、表示パネル５０６１を介して提供する。図５では、タッチパネル５０７１と表示パネル５０６１は、独立した２つの部品として端末機器の入出力機能を実現するが、実施例によっては、タッチパネル５０７１と表示パネル５０６１を一体化して端末機器の入出力機能を実現することもでき、具体的にここでは限定しない。
【００９８】
インタフェースユニット５０８は、外部装置と端末機器５００とを接続するためのインタフェースである。例えば、外部装置は、有線又は無線ヘッドホンポート、外部電源（又はバッテリ充電器）ポート、有線又は無線データポート、メモリカードポート、識別モジュールを有する装置を接続するためのポート、オーディオ入出力（Ｉ／Ｏ）ポート、ビデオＩ／Ｏポート、ヘッドホンポート等を含む。インターフェイスユニット５０８は、外部装置から入力（例えば、データ情報、電力など）を受信し、受信した入力を端末機器５００内の１つ以上の要素に伝送するために使用されてもよく、又は端末機器５００と外部装置との間でデータを伝送するために使用されてもよい。
【００９９】
メモリ５０９は、ソフトウェアプログラム及び様々なデータを格納するために使用される。メモリ５０９は、オペレーティングシステム、少なくとも１つの機能に必要なアプリケーションプログラム（例えば、音声再生機能、画像再生機能など）などを格納することができるプログラム格納領域と、データ格納領域とを主に含んでもよい。データ格納領域は、音声データや電話帳など、携帯電話機の使用に応じて作成されたデータを記憶することができる。更に、メモリ５０９は、高速ランダムアクセスメモリを含んでもよく、少なくとも１つの磁気ディスク記憶デバイス、フラッシュメモリデバイスなどの不揮発性メモリ、又は他の揮発性固体記憶デバイスをさらに含んでもよい。
【０１００】
プロセッサ５１０は、端末機器の制御センタであり、各種インタフェースや回線を用いて端末機器全体の各部を接続し、メモリ５０９に格納されたソフトウェアプログラム及び／又はモジュールを実行、メモリ５０９に格納されたデータを呼び出して端末機器の各種機能及びデータ処理を実行し、端末機器全体の監視を行う。プロセッサ５１０は、１つ以上の処理ユニットを含んでもよい。任意選択で、プロセッサ５１０は、オペレーティングシステム、ユーザインターフェース及びアプリケーションなどを主に処理するアプリケーションプロセッサと、ワイヤレス通信を主に処理するモデムプロセッサとを統合することができる。上述のモデムプロセッサは、プロセッサ５１０に統合されなくてもよいことが理解される。
【０１０１】
端末機器５００は、各構成要素に電力を供給するためのバッテリのような電源５１１を更に含んでもよい。選択可能に、電源５１１は、電源管理システムを介してプロセッサ５１０に論理的に接続されてもよく、電源管理システムを介して充電、放電、及び消費電力管理などを管理する機能を実現してもよい。
【０１０２】
また、端末機器５００は、図示しない機能モジュールを更に含んでもよく、ここでの説明は省略する。
【０１０３】
本開示の実施例は、プロセッサと、メモリと、前記メモリに格納され、前記プロセッサで実行可能なコンピュータプログラムとを含むネットワーク機器を更に提供し、前記コンピュータプログラムが前記プロセッサによって実行されると、上記のネットワーク機器に応用されるランダムアクセス方法の実施例の各プロセスが実現され、且つ同一の技術効果を奏することもでき、重複を避けるために、ここでは繰り返して述べない。
【０１０４】
具体的には、図６は、本開示の各実施例を実現するネットワーク機器のハードウェア構造図である。前記ネットワーク機器６０は、バス６１と、トランシーバ６２と、アンテナ６３と、バスインタフェース６４と、プロセッサ６５と、メモリ６６とを含むが、それらに限られない。
【０１０５】
本開示の実施例において、前記ネットワーク機器６０は、メモリ６６に格納され、プロセッサ６５で実行可能なコンピュータプログラムを更に含む。コンピュータプログラムがプロセッサ６５によって実行されると、目標ＭＣＳに基づいて変調符号化されたペイロード部分を付帯するランダムアクセスメッセージ１を受信するステップが実現される。
【０１０６】
トランシーバ６２は、プロセッサ６５による制御でデータを送受信する。
【０１０７】
図６において、バスアーキテクチャ（バス６１で示す）は、任意数の相互接続するバスとブリッジを含む。バス６１は、プロセッサ６５をはじめとする１つ又は複数のプロセッサとメモリ６６をはじめとするメモリの各種類の回路が接続したものである。バス６１は、周辺イクイップメント、レギュレーター、電力管理回路などの各種類のほかの回路を接続したものであってもよい。これらは、いずれも本分野の公知事項であり、本文においてさらなる記載をしない。バスインタフェース６４により、バス６１とトランシーバ６２との間でインタフェースが提供される。トランシーバ６２は、１つの部品であってもよく、複数の受信機及び送信機など、複数の部品であってもよく、伝送媒体でほかの各種類の装置と通信するユニットとして提供される。プロセッサ６５に処理されたデータは、アンテナ６３を介して無線媒体で伝送される。更に、アンテナ６３は、データを受信し、データをプロセッサ６５に伝送する。
【０１０８】
プロセッサ６５は、バス６１と通常の処理を管理し、更に計時、周囲インタフェース、電圧調節、電源管理及びほかの制御機能など、様々な機能も提供する。メモリ６６は、プロセッサ６５による操作実行に用いられるデータを記憶することに用いられる。
【０１０９】
任意選択で、プロセッサ６５は、ＣＰＵ、ＡＳＩＣ、ＦＰＧＡ又はＣＰＬＤである。
【０１１０】
本開示の実施例は、コンピュータプログラムが格納されているコンピュータ読み取り可能な記憶媒体を更に提供し、該コンピュータプログラムがプロセッサによって実行されると、上記ランダムアクセス方法の実施例の各プロセスが実現され、且つ同じ技術効果を奏することもできるので、重複を避けるために、ここでは繰り返して記載しない。ここで、該コンピュータ読み取り可能な記憶媒体は、例えば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなどである。
【０１１１】
なお、本明細書において、「含む」や「含有する」又はそれ以外のあらゆる変形用語は、非排他的な包含を意味する。よって、一連の要素を含むプロセス、方法、モノ又は装置は、それらの要素を含むだけではなく、明確に列挙されていない他の要素を更に含み、又はこのようなプロセス、方法、モノ又は装置に固有の要素を更に含む。特に限定されない限り、「…を１つ含む」の表現によって限定される要素について、当該要素を含むプロセス、方法、モノ又は装置に他の同一要素の存在を除外しない。
【０１１２】
以上の実施形態の記載から、上記実施例の方法が、ソフトウェアに必要な汎用ハードウェアプラットフォームの形態で実現されてもよく、もちろんハードウェアによっても実現されてもよく、多くの場合では前者がより好適な実施形態であることは、当業者にとって自明である。このような理解に基づき、本開示の技術手段の実質的又は従来技術に貢献した部分は、ソフトウェアプロダクトの形式で現れる。当該コンピュータソフトウェアプロダクトは、記憶媒体（例えばＲＯＭ／ＲＡＭ、磁気ディスク、光ディスク）に記憶され、本開示の各実施例の方法を１台の端末（携帯電話、コンピュータ、サーバー、空調機又はネットワークデバイスなど）に実行させるいくつかの指令を含む。
【０１１３】
以上、本開示の実施例を図面に基づいて記載したが、本開示は、上記の具体的な実施形態に限定されるものではない。上記の具体的な実施形態は、例示的なものであり、限定的なものではない。本開示のヒントを受け、当業者が本開示の趣旨及び特許請求の範囲から逸脱することなくなしえる多くの形態は、すべて本開示の保護範囲に含まれる。
【図１】
2021532672.tif 000007
【図２】
2021532672.tif 000008
【図３】
2021532672.tif 000009
【図４】
2021532672.tif 000010
【図５】
2021532672.tif 000011
【図６】
2021532672.tif 000012
【手続補正書】
【提出日】令和3年3月10日(2021.3.10)
【手続補正１】
【補正対象書類名】特許請求の範囲
【補正対象項目名】全文
【補正方法】変更
【補正の内容】
【特許請求の範囲】
【請求項１】
端末機器に応用されるランダムアクセス方法であって、
目標変調符号化スキームＭＣＳに基づいて変調符号化されたペイロード部分を付帯するランダムアクセスメッセージ１を送信することを含み、
前記ランダムアクセスメッセージ１を送信することの前に、
変調符号化スキームＭＣＳセットを取得することと、
前記変調符号化スキームＭＣＳセットから前記目標変調符号化スキームＭＣＳを選択することとを更に含む、ランダムアクセス方法。
【請求項２】
前記変調符号化スキームＭＣＳセットは、
予め定義された変調符号化スキームＭＣＳセットであるか、又は、
システムブロードキャストメッセージ又は上位層シグナリングによって指示される変調符号化スキームＭＣＳセットである、請求項１に記載のランダムアクセス方法。
【請求項３】
前記の前記変調符号化スキームＭＣＳセットから前記目標変調符号化スキームＭＣＳを選択することは、
信号測定結果及び／又は前記ランダムアクセスメッセージ１のペイロードサイズに基づいて、前記変調符号化スキームＭＣＳセットから前記目標変調符号化スキームＭＣＳを選択することを含む、請求項１に記載のランダムアクセス方法。
【請求項４】
前記ランダムアクセスメッセージ１は、前記目標変調符号化スキームＭＣＳを明示的に指示するための上り制御情報ＵＣＩを付帯し、
又は、
前記ランダムアクセスメッセージ１は、前記目標変調符号化スキームＭＣＳを暗黙的に指示するための復調基準信号ＤＭＲＳを付帯し、
又は、
前記ランダムアクセスメッセージ１は、プリアンブルを付帯し、前記プリアンブル及び／又は前記プリアンブルに対応する物理ランダムアクセスチャネルＰＲＡＣＨ機会は、前記目標変調符号化スキームＭＣＳを暗黙的に指示する、請求項１に記載のランダムアクセス方法。
【請求項５】
前記上り制御情報ＵＣＩは、予め定義された変調符号化スキームＭＣＳ又はネットワーク機器によって設定された変調符号化スキームＭＣＳで変調符号化される、請求項４に記載のランダムアクセス方法。
【請求項６】
前記復調基準信号ＤＭＲＳの設定パラメータは、ネットワーク機器によって設定され、
前記復調基準信号ＤＭＲＳの設定パラメータは、複数の復調基準信号ＤＭＲＳ設定又は複数の復調基準信号ＤＭＲＳシーケンスを含む、請求項４に記載のランダムアクセス方法。
【請求項７】
ネットワーク機器に応用されるランダムアクセス方法であって、
目標変調符号化スキームＭＣＳに基づいて変調符号化されたペイロード部分を付帯するランダムアクセスメッセージ１を受信することを含む、ランダムアクセス方法。
【請求項８】
前記目標変調符号化スキームＭＣＳが変調符号化スキームＭＣＳセットから選択される場合、前記のランダムアクセスメッセージ１を受信することの後に、
前記ランダムアクセスメッセージ１に付帯される上り制御情報ＵＣＩによって前記目標変調符号化スキームＭＣＳを取得することと、
前記ランダムアクセスメッセージ１に付帯される復調基準信号ＤＭＲＳによって前記目標変調符号化スキームＭＣＳを取得することと、
前記ランダムアクセスメッセージ１に付帯されるプリアンブル、及び／又は、前記プリアンブルに対応する物理ランダムアクセスチャネルＰＲＡＣＨ機会によって前記目標変調符号化スキームＭＣＳを取得することとのいずれかを更に含み、
ここで、前記上り制御情報ＵＣＩは、前記目標変調符号化スキームＭＣＳを明示的に指示し、
前記復調基準信号ＤＭＲＳは、前記目標変調符号化スキームＭＣＳを暗黙的に指示し、
前記プリアンブル、及び／又は、前記プリアンブルに対応する物理ランダムアクセスチャネルＰＲＡＣＨ機会は、前記目標変調符号化スキームＭＣＳを暗黙的に指示する、請求項７に記載のランダムアクセス方法。
【請求項９】
目標変調符号化スキームＭＣＳに基づいて変調符号化されたペイロード部分を付帯するランダムアクセスメッセージ１を送信する送信モジュールと、
変調符号化スキームＭＣＳセットを取得する第１取得モジュールと、
前記変調符号化スキームＭＣＳセットから前記目標変調符号化スキームＭＣＳを選択する選択モジュールとを含む、端末機器。
【請求項１０】
前記変調符号化スキームＭＣＳセットは、
予め定義された変調符号化スキームＭＣＳセットであるか、又は、
システムブロードキャストメッセージ又は上位層シグナリングによって指示される変調符号化スキームＭＣＳセットである、請求項９に記載の端末機器。
【請求項１１】
前記選択モジュールは、さらに
信号測定結果及び／又は前記ランダムアクセスメッセージ１のペイロードサイズに基づいて、前記変調符号化スキームＭＣＳセットから前記目標変調符号化スキームＭＣＳを選択する、請求項９に記載の端末機器。
【請求項１２】
前記ランダムアクセスメッセージ１は、前記目標変調符号化スキームＭＣＳを明示的に指示するための上り制御情報ＵＣＩを付帯し、
又は、
前記ランダムアクセスメッセージ１は、前記目標変調符号化スキームＭＣＳを暗黙的に指示するための復調基準信号ＤＭＲＳを付帯し、
又は、
前記ランダムアクセスメッセージ１は、プリアンブルを付帯し、前記プリアンブル及び／又は前記プリアンブルに対応する物理ランダムアクセスチャネルＰＲＡＣＨ機会は、前記目標変調符号化スキームＭＣＳを暗黙的に指示する、請求項９に記載の端末機器。
【請求項１３】
前記上り制御情報ＵＣＩは、予め定義された変調符号化スキームＭＣＳ又はネットワーク機器によって設定された変調符号化スキームＭＣＳで変調符号化される、請求項１２に記載の端末機器。
【請求項１４】
前記復調基準信号ＤＭＲＳの設定パラメータは、ネットワーク機器によって設定され、
前記復調基準信号ＤＭＲＳの設定パラメータは、複数の復調基準信号ＤＭＲＳ設定又は複数の復調基準信号ＤＭＲＳシーケンスを含む、請求項１２に記載の端末機器。
【請求項１５】
目標変調符号化スキームＭＣＳに基づいて変調符号化されたペイロード部分を付帯するランダムアクセスメッセージ１を受信する受信モジュールを含む、ネットワーク機器。
【国際調査報告】
2021532672.tif 000013
2021532672.tif 000014
2021532672.tif 000015
2021532672.tif 000016